(57)【要約】【課題】パネルＰに穴などの係止部を設ける必要がなく、サイズが異なるパネルＰに対しても汎用的に使用することができると共にパネルハンガー１をパネルＰに係止させる作業が不要なパネルハンガー１およびそのパネルハンガー１を用いたパネル吊り上げ工法を提供することにある。【解決手段】本発明のパネルハンガー１は、パネルＰの厚さ方向の両側から挟圧する一対のパネル挟圧部２ａ，２ｂと、下端側に一対のパネル挟圧部２ａ，２ｂがそれぞれ設けられると共に中間の交叉部３を軸として回動可能に設けられた一対のパネル挟圧用リンク部材４ａ，４ｂと、パネル挟圧用リンク部材４ａ，４ｂの上端側と一端側がそれぞれ連結部５ａ，５ｂを軸として回動可能に連結されると共に交叉する部位にて回動可能に連結された一対のリンク部材６ａ，６ｂとを有している。【選択図】図１
2020132337.tif 000002
【特許請求の範囲】
【請求項１】
パネルを保持して吊り上げる際に使用されるパネルハンガーであって、前記パネルの厚さ方向の両側から挟圧する一対のパネル挟圧部と、下端側に前記一対のパネル挟圧部がそれぞれ設けられると共に中間の交叉部を軸として回動可能に設けられた一対のパネル挟圧用リンク部材と、該パネル挟圧用リンク部材の上端側と一端側がそれぞれ連結部を軸として回動可能に連結されると共に交叉する部位にて回動可能に連結された一対のリンク部材とを有していることを特徴とするパネルハンガー。
【請求項２】
前記一対のパネル挟圧用リンク部材は、それぞれ下端側に内側に向かって屈曲する屈曲部を有している請求項１に記載のパネルハンガー。
【請求項３】
前記屈曲部は、正面視で１０５°屈曲している請求項２に記載のパネルハンガー。
【請求項４】
前記一対のパネル挟圧用リンク部材の前記一対のパネル挟圧部は、それぞれ前記一対のパネル挟圧用リンク部材の下端側に対して回動可能に取り付けられている請求項１ないし３のいずれかに記載のパネルハンガー。
【請求項５】
前記一対のパネル挟圧用リンク部材の前記一対のパネル挟圧部は、パネル当接面が弾性材料にて形成されている請求項１ないし４のいずれかに記載のパネルハンガー。
【請求項６】
前記パネルハンガーは、前記一対のリンク部材の他端側と下端側がそれぞれ回動可能に連結されると共に交叉する部位にて回動可能に連結された一対の伸縮部延長用リンク部材を有している請求項１ないし５のいずれかに記載のパネルハンガー。
【請求項７】
前記一対のリンク部材、または最上部に位置する前記伸縮部延長用リンク部材の前記交叉する部位には、吊り上げ用係合部が設けられている請求項１ないし６のいずれかに記載のパネルハンガー。
【請求項８】
前記請求項１ないし７のいずれかに記載のパネルハンガーを用いてパネルを起立状態で吊り上げて組み付け、建築物を構築するパネル吊り上げ工法であって、前記パネルの上方より前記パネルハンガーを降下させて前記パネルハンガーの前記一対のパネル挟圧部を前記パネルの厚さ方向の両側にそれぞれ配置する工程と、前記パネルハンガーを上昇させて前記一対のパネル挟圧部にて前記パネルを挟圧すると共に前記パネルを吊り上げる工程と、前記パネルを所要位置に移動して組み付けて建築物を構築する工程と、前記パネルハンガーを降下させて前記一対のパネル挟圧部による前記パネルの挟圧を解除する工程とを有していることを特徴とするパネル吊り上げ工法。
【請求項９】
前記パネル吊り上げ工法は、前記パネルハンガーを上昇させて前記一対のパネル挟圧部にて前記パネルを挟圧すると共に吊り上げる工程以前に、前記パネルを保持するバンドを前記パネルに取り付ける工程を有している請求項８に記載のパネル吊り上げ工法。
【発明の詳細な説明】
【技術分野】
【０００１】
本発明は、例えばサンドウィッチパネルなどの建築用パネルを吊り上げる際に使用して好適なパネルハンガーおよびそれを用いたパネル吊り上げ工法に関するものである。
【背景技術】
【０００２】
従来より、例えばサンドウィッチパネルなどの建築用パネルを工場生産し、建築現場において組み付けて建物を構築することにより現場施工を省力化させるパネル工法が普及している。
【０００３】
このパネル工法によって大型パネルで壁を構築する場合、基本的にクレーンなどの吊り上げ装置を用いて大型パネルを起立状態で吊り上げ、壁部分に順次設置して組み付けている。そして、これら大型パネルは、パネルハンガーと呼ばれるパネル吊り具を用いて保持されクレーンにて吊り上げられる。
【０００４】
このパネルハンガーとしては様々なものが提案されており、例えば、パネルに設けられた穴に挿入部を挿入して係止し吊り上げるタイプのもの、パネルの上下を嵌め入れる嵌合部にて係止し吊り上げるタイプのもの（特開２０１８−５９３８０号公報のパネル吊具）などがある。
【０００５】
しかし、前者のものはパネルに穴を設ける必要があり、それらの穴からパネル内に雨水等が侵入するなどの問題があった。また、後者のものは、パネルの長さや厚さ等パネル寸法に応じた専用品となることが多く、様々のサイズのパネルに対して使用する汎用性に欠けていた。さらに、両者を通じてパネルハンガーをパネルに係止させる作業が必要で大型パネルの場合は特に煩雑であった。
【先行技術文献】
【特許文献】
【０００６】
【特許文献１】特開２０１８−５９３８０号公報
【発明の概要】
【発明が解決しようとする課題】
【０００７】
そこで、本発明の課題は、パネルに穴などの係止部を設ける必要がなく、サイズが異なるパネルに対しても汎用的に使用することができると共にパネルハンガーをパネルに係止させる作業が不要なパネルハンガーおよびそのパネルハンガーを用いたパネル吊り上げ工法を提供することにある。
【課題を解決するための手段】
【０００８】
上記課題を解決するものは、パネルを保持して吊り上げる際に使用されるパネルハンガーであって、前記パネルの厚さ方向の両側から挟圧する一対のパネル挟圧部と、下端側に前記一対のパネル挟圧部がそれぞれ設けられると共に中間の交叉部を軸として回動可能に設けられた一対のパネル挟圧用リンク部材と、該パネル挟圧用リンク部材の上端側と一端側がそれぞれ連結部を軸として回動可能に連結されると共に交叉する部位にて回動可能に連結された一対のリンク部材とを有していることを特徴とするパネルハンガーである（請求項１）。
【０００９】
前記一対のパネル挟圧用リンク部材は、それぞれ下端側に内側に向かって屈曲する屈曲部を有していることが好ましい（請求項２）。前記屈曲部は、正面視で１０５°内側に向かって屈曲していることが好ましい（請求項３）。前記一対のパネル挟圧用リンク部材の前記一対のパネル挟圧部は、それぞれ前記一対のパネル挟圧用リンク部材の下端側に対して回動可能に取り付けられていることが好ましい（請求項４）。前記一対のパネル挟圧用リンク部材の前記一対のパネル挟圧部は、パネル当接面が弾性材料にて形成されていることが好ましい（請求項５）。前記パネルハンガーは、前記一対のリンク部材の他端側と下端側がそれぞれ回動可能に連結されると共に交叉する部位にて回動可能に連結された一対の伸縮部延長用リンク部材を有しいてもよい（請求項６）。前記一対のリンク部材または最上部に位置する前記伸縮部延長用リンク部材の前記交叉する部位には、吊り上げ用係合部が設けられていることが好ましい（請求項７）。
【００１０】
また、上記課題を解決するものは、前記請求項１ないし７のいずれかに記載のパネルハンガーを用いてパネルを起立状態で吊り上げて組み付け、建築物を構築するパネル吊り上げ工法であって、前記パネルの上方より前記パネルハンガーを降下させて前記パネルハンガーの前記一対のパネル挟圧部を前記パネルの厚さ方向の両側にそれぞれ配置する工程と、前記パネルハンガーを上昇させて前記一対のパネル挟圧部にて前記パネルを挟圧すると共に前記パネルを吊り上げる工程と、前記パネルを所要位置に移動して組み付けて建築物を構築する工程と、前記パネルハンガーを降下させて前記一対のパネル挟圧部による前記パネルの挟圧を解除する工程とを有していることを特徴とするパネル吊り上げ工法である（請求項８）。
【００１１】
前記パネル吊り上げ工法は、前記パネルハンガーを上昇させて前記一対のパネル挟圧部にて前記パネルを挟圧すると共に吊り上げる工程以前に、前記パネルを保持するバンドを前記パネルに取り付ける工程を有していてもよい（請求項９）。
【発明の効果】
【００１２】
請求項１に記載のパネルハンガーによれば、パネルに穴などの係止部を設ける必要がなく、サイズが異なるパネルに対しても汎用的に使用することができると共にパネルハンガーをパネルに係止させる煩雑な作業が不要となる。
請求項２に記載のパネルハンガーによれば、一対のパネル挟圧用リンク部材がより強固にパネルを保持できる。
請求項３に記載のパネルハンガーによれば、一対のパネル挟圧用リンク部材が最も強固にパネルを保持できる。
請求項４に記載のパネルハンガーによれば、一対のパネル挟圧部がパネルの厚さに応じて回動してパネルに当接することができ、より確実にパネルを保持できる。
請求項５に記載のパネルハンガーによれば、パネル当接面が弾性材料にて形成されていることで、より強固かつ確実にパネルを保持できる。
請求項６に記載のパネルハンガーによれば、伸縮部延長用リンク部材により、上下方向の伸長距離が長いパネルハンガーやパネル挟圧部による挟圧力がより大きいパネルハンガーを構成できる。
請求項７に記載のパネルハンガーによれば、吊り上げ用係合部にワイヤーなどを係合させてより安定してパネルを吊り上げることができる。
請求項８に記載のパネル吊り上げ工法によれば、パネルに穴などの係止部を設ける必要がなく、サイズが異なるパネルに対しても汎用的に吊り上げを行うことができると共に、パネルハンガーをパネルに係止させる、または係止解除する煩雑な作業が不要となる。
請求項９に記載のパネル吊り上げ工法によれば、荷重が過大なパネルに対してもバンドが荷重を担保することで汎用的かつ安全に吊り上げを行うことができると共に、パネルハンガーをパネルの起立状態を保持する姿勢保持具としても機能させることができる。
【図面の簡単な説明】
【００１３】
【図１】本発明のパネルハンガーの一実施例の正面図である。
【図２】図１に示したパネルハンガーの右側面図である。
【図３】図１に示したパネルハンガーの部品を説明するための正面図である。
【図４】図１に示したパネルハンガーの作用を説明するための説明図である。
【図５】図１に示したパネルハンガーの作用を説明するための説明図である。
【図６】本発明のパネル吊り上げ工法を説明するための説明図である。
【図７】本発明のパネルハンガーの他の一実施例の正面図である。
【発明を実施するための形態】
【００１４】
本発明では、パネルＰを保持して吊り上げる際に使用されるパネルハンガー１が、パネルＰの厚さ方向の両側から挟圧する一対のパネル挟圧部２ａ，２ｂと、下端側に一対のパネル挟圧部２ａ，２ｂがそれぞれ設けられると共に中間の交叉部３を軸として回動可能に設けられた一対のパネル挟圧用リンク部材４ａ，４ｂと、パネル挟圧用リンク部材４ａ，４ｂの上端側と一端側がそれぞれ連結部５ａ，５ｂを軸として回動可能に連結されると共に交叉する部位にて回動可能に連結された一対のリンク部材６ａ，６ｂとを有していることで、パネルＰに穴などの係止部を設ける必要がなく、サイズが異なるパネルＰに対しても汎用的に使用することができると共にパネルハンガー１をパネルＰに係止させる作業が不要なパネルハンガー１およびそのパネルハンガー１を用いたパネル吊り上げ工法を実現した。
【実施例１】
【００１５】
本発明のパネルハンガーを図１から図６に示した一実施例を用いて説明する。
この実施例のパネルハンガー１は、図１に示すように、パネルＰを保持して吊り上げる際に使用されるパネルハンガー１であって、パネルＰの厚さ方向の両側から挟圧する一対のパネル挟圧部２ａ，２ｂと、下端側に一対のパネル挟圧部２ａ，２ｂがそれぞれ設けられると共に中間の交叉部３を軸として回動可能に設けられた一対のパネル挟圧用リンク部材４ａ，４ｂと、パネル挟圧用リンク部材４ａ，４ｂの上端側と一端側がそれぞれ連結部５ａ，５ｂを軸として回動可能に連結されると共に交叉する部位にて回動可能に連結された一対のリンク部材６ａ，６ｂとを有している。以下、各構成について順次詳述する。
【００１６】
パネルハンガー１は、パネルＰを保持して吊り上げる際に使用されるものであり、この実施例のパネルＰは、２枚の金属板の間に、芯材を介在させたサンドイッチパネルである。
【００１７】
金属板は、例えば、Ａｌ、Ｆｅ、Ｃｕ、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等のうちの一種を、プレス成形、押出成形、ロール成形等によって成形したものである。
【００１８】
芯材は、例えば、ロックウール、グラスウール、セラミックファイバーなどの無機繊維体、またはウレタンフォーム、フェノールフォームなどの樹脂発泡体等の板体から構成されている。
【００１９】
この実施例のパネルＰは、図６に示すように、正面視長方形の板状であり、横張施工される外壁パネルであって、短手方向を上下方向と平行にした状態で設置される。具体的には、パネルＰの短手方向を上下方向とし、パネルＰの長手方向を左右方向とし、パネルＰの厚み方向を前後方向とする。また、パネルＰの屋外側を前方、屋内側を後方とし、パネルＰの厚み方向の両側の面のうち、一方の面である前面は屋外側に臨む表面となり、他方の面である後面は屋内側に臨む裏面となる。
【００２０】
パネルハンガー１の一対のパネル挟圧用リンク部材４ａ，４ｂは、図１に示すように、下端側に一対のパネル挟圧部２ａ，２ｂがそれぞれ設けられた部材である。これら一対のパネル挟圧用リンク部材４ａ，４ｂが、中間の交叉部（具体的には、第１回動用軸部材）３を軸として回動可能に設けられていることで、パネルＰが、一対のパネル挟圧部２ａ，２ｂによって挟圧保持され、または逆方向への回動によって挟圧（保持）が解除されるように構成されている。
【００２１】
なお、交叉部（第１回動用軸部材）３は、一対のパネル挟圧用リンク部材４ａ，４ｂ同士が交叉する部位付近において、パネル挟圧用リンク部材４ａ，４ｂ双方を貫通する貫通孔Ｈ（図３（Ｂ）の中間部に設けられた貫通孔Ｈ）が設けられ、それらの貫通孔Ｈに第１回動用軸部材３が回動可能に挿通され取り付けられている。
【００２２】
一対のパネル挟圧用リンク部材４ａ，４ｂの一対のパネル挟圧部２ａ，２ｂは、図４または図５に示すように、パネルＰ（これらの図ではＰ１，Ｐ２）をその厚さ方向の両側から挟圧して保持するための部位である。
【００２３】
一対のパネル挟圧部２ａ，２ｂは、一対のパネル挟圧用リンク部材４ａ，４ｂの下端側に対してそれぞれ回動可能に取り付けられている。具体的には、この実施例の一対のパネル挟圧部２ａ，２ｂは、第２回動用軸部材７ａ，第３回動用軸部材７ｂにより、一対のパネル挟圧用リンク部材４ａ，４ｂの下端側に、それぞれ回動可能に取り付けられている。より具体的には、一対のパネル挟圧部２ａ，２ｂはそれぞれ、図１または図２に示すように、一対のパネル挟圧用リンク部材４ａ，４ｂの下端を表裏から覆う接続部８ａ，８ｂを有しており、一対のパネル挟圧用リンク部材４ａ，４ｂの下端および接続部８ａ，８ｂにはそれらを貫通する貫通孔Ｈが設けられ、それらの貫通孔に第２回動用軸部材７ａ，第３回動用軸部材７ｂが挿通され、それぞれ回動可能に取り付けられている。これらの構造により、一対のパネル挟圧部２ａ，２ｂは、パネルＰ（図４ではパネルＰ１または図５ではパネルＰ２）の厚さに応じて回動してパネルＰに当接することができ、より確実にパネルＰを保持するように構成されている。
【００２４】
一対のパネル挟圧用リンク部材４ａ，４ｂの一対のパネル挟圧部２ａ，２ｂは、パネル当接面が弾性材料（ゴム材料）９ａ，９ｂにて形成されている。このように、パネル当接面が弾性材料にて形成されることで、より強固かつ確実にパネルＰを保持できるように構成されている。
【００２５】
一対のパネル挟圧用リンク部材４ａ，４ｂは、図１または図３に示すように、それぞれ下端側に内側に向かって屈曲する屈曲部１０を有している。このような屈曲部１０が設けられることにより、一対のパネル挟圧用リンク部材４ａ，４ｂがより強固にパネルＰを保持できる。なお、屈曲部の角度（内角）は、正面視で１０５°内側に向かって屈曲していることが好ましい。これにより、一対のパネル挟圧用リンク部材４ａ，４ｂが最も強固にパネルＰを保持することができる。
【００２６】
一対のリンク部材６ａ，６ｂは、図１に示すように、パネル挟圧用リンク部材４ａ，４ｂの上端側と一端側がそれぞれ連結部（第４回動用軸部材）５ａ，（第５回動用軸部材）５ｂを軸として回動可能に連結されると共に交叉する部位にて回動可能に連結された部材である。
【００２７】
具体的には、一対のリンク部材６ａ，６ｂの一端側（下端側）と、パネル挟圧用リンク部材４ａ，４ｂの上端側の交叉する部位には、リンク部材６ａ，６ｂおよびパネル挟圧用リンク部材４ａ，４ｂを貫通する貫通孔Ｈが設けられ、それらの貫通孔Ｈに第４回動用軸部材５ａ，第５回動用軸部材５ｂが挿通されて、それぞれ回動可能に取り付けられることで、一対のリンク部材６ａ，６ｂの一端側とパネル挟圧用リンク部材４ａ，４ｂの上端側が回動可能に連結されている。
【００２８】
また、一対のリンク部材６ａ，６ｂ同士が交叉する部位には、リンク部材６ａ，６ｂを貫通する貫通孔（図示しない）が設けられ、それらの貫通孔に第６回動用軸部材１１が挿通されて、リンク部材６ａ，６ｂが回動可能に設けられることで、一対のリンク部材６ａ，６ｂの他端側同士が回動可能に連結されている。
【００２９】
さらに、一対のリンク部材６ａ，６ｂ同士が交叉する部位には、図１または図２に示すように吊り上げ用係合部（この実施例では図２に示すように、側面視逆Ｕ字型係合部）１２が設けられている。これにより、吊り上げ用係合部１２にワイヤーＷ１などを係合させてより安定してパネルＰを吊り上げることができるように構成されている。
【００３０】
なお、リンク部材６ａ，６ｂは、図１、図２、図３（ａ）に示すように長尺状板材で構成されており、例えばステンレス鋼板などの鋼板が好適に使用できる。また、前述したパネル挟圧用リンク部材４ａ，４ｂ，一対のパネル挟圧部２ａ，２ｂの接続部８ａ，８ｂもステンレス鋼板などの鋼板が好適に使用されている。
【００３１】
つぎに、本発明のパネルハンガー１を用いたパネル吊り上げ工法について説明する。
この実施例のパネル吊り上げ工法は、パネルハンガー１を用いてパネルＰを起立状態で吊り上げて組み付け、建築物を構築するパネル吊り上げ工法であって、パネルハンガー１を吊り上げ手段３０に取り付ける工程と、吊り上げパネルＰの上方よりパネルハンガー１を降下させてパネルハンガー１の一対のパネル挟圧部２ａ，２ｂをパネルＰの厚さ方向の両側にそれぞれ配置する工程と、パネルハンガー１を上昇させて一対のパネル挟圧部２ａ，２ｂにてパネルＰを挟圧すると共にパネルＰを吊り上げる工程と、パネルＰを所要位置に移動して組み付けて建築物を構築する工程と、パネルハンガー１を降下させて一対のパネル挟圧部２ａ，２ｂによるパネルＰの挟圧を解除する工程とを有している。以下、各工程について詳述する。
【００３２】
パネルハンガー１を吊り上げ手段３０に取り付ける工程では、図６に示すように、複数の第一ワイヤーＷ１と、天秤（ビーム）Ｔと、第２ワイヤーＷ２と、クレーンやウィンチ等の揚重機３１を有した吊り上げ手段３０の複数の第一ワイヤーＷ１にそれぞれパネルハンガー１を取り付ける。
【００３３】
具体的には、この実施例では、４本の第一ワイヤーＷ１の上端部が天秤（ビーム）Ｔに離間して取り付けられ、第一ワイヤーＷ１の下端部は、パネルハンガー１の吊り上げ用係合部１２に取り付けられることで、吊り上げ手段３０にパネルハンガー１が取り付けられている。
【００３４】
そして、 揚重機３１は、第２ワイヤーＷ２を介して天秤９０に連結されており、揚重機３１により、第２ワイヤーＷ２を介して天秤Ｔを吊り上げ、または吊り下げることで、複数の第１ワイヤーＷ１を介して複数のパネルハンガー１が昇降するように構成されている。
【００３５】
パネルＰの上方よりパネルハンガー１を降下させてパネルハンガー１の一対のパネル挟圧部２ａ，２ｂをパネルＰの厚さ方向の両側にそれぞれ配置する工程では、揚重機３１を降下させて、図４または図５に示すように、パネルハンガー１の一対のパネル挟圧部２ａ，２ｂを、パネルＰの厚さ方向の両側にそれぞれ位置させる。
【００３６】
パネルハンガー１を上昇させて一対のパネル挟圧部２ａ，２ｂにてパネルＰを挟圧すると共にパネルＰを吊り上げる工程では、揚重機３１にてパネルハンガー１を上昇させることにより、一対のリンク部材６ａ，６ｂおよび一対のパネル挟圧用リンク部材４ａ，４ｂが上方に引張されて、上下方向の長さが伸長し、これに伴って一対のパネル挟圧用リンク部材４ａ，４ｂの一対のパネル挟圧部２ａ，２ｂがパネルＰを厚さ方向の両側から挟圧保持すると共に、パネルＰを上昇させる。なお、本発明のパネル吊り下げ工法は、このパネルハンガー１を上昇させて一対のパネル挟圧部２ａ，２ｂにてパネルＰを挟圧すると共にパネルＰを吊り上げる工程以前に、パネルＰを保持するバンドＢをパネルＰに取り付ける工程を有していてもよい。具体的には、この実施例では、図６に示すように、パネルＰの長手方向の両側と中央付近にそれぞれバンドＢにてパネルを保持させている（パネルＰの外周をバンドＢで巻き回し、バンドＢの上端を天秤Ｔに固定して保持させている）。この工程を追加することにより、荷重が過大なパネルＰに対してもバンドＢが荷重を担保することで汎用的かつ安全に吊り上げを行うことができると共に、パネルハンガー１自体をパネルの荷重担保に加え、パネルＰの起立状態を保持する姿勢保持具として機能させることができる。
【００３７】
パネルＰを所要位置に移動して組み付けて建築物を構築する工程では、揚重機３１を含む吊り上げ手段３０によりパネルＰを吊り上げた状態で所要位置に移動させて組み付け建築物を構築する。
【００３８】
さらに、パネルハンガー１を降下させて一対のパネル挟圧部２ａ，２ｂによるパネルＰの挟圧を解除する工程では、所要の組み付け位置において、揚重機３１にてパネルハンガー１を若干降下させることにより、一対のリンク部材６ａ，６ｂおよび一対のパネル挟圧用リンク部材４ａ，４ｂの上下方向の長さが収縮し、これに伴い、パネル挟圧部２ａ，２ｂがそれぞれパネルＰから離間し、パネル挟圧部２ａ，２ｂによるパネルの挟圧状態が解除される。そして、これら一連の工程が繰り返されることにより、パネルＰを吊り上げた状態で所要位置に順次移動させて組み付け建築物が構築される。
【００３９】
上記のように、本発明のパネルハンガー１を用いたパネル吊り上げ工法では、パネルＰに穴などの係止部を設ける必要がなく、サイズが異なるパネルＰ１，Ｐ２に対しても汎用的に吊り上げを行うことができると共に、パネルハンガー１を昇降するのみでパネルＰの保持または保持解除を行うことができ、煩雑な係止作業または係止解除作業が不要となる。
【００４０】
さらに、図７に示した本発明のパネルハンガーの他の実施例について説明する。
この実施例のパネルハンガー２０と前述したパネルハンガー１との基本的な相違は、パネルハンガー２０が、一対のリンク部材２１ａ，２１ｂの他端側と一端側がそれぞれ回動可能に連結されると共に交叉する部位にて回動可能に連結された一対の伸縮部延長用リンク部材２２ａ，２２ｂを有している点である。ここで、伸縮部延長用リンク部材とは、リンク部材２１ａ，２１ｂとパネル挟圧用リンク部材４ａ，４ｂにて構成される上下方向の伸縮部を延長するための部材である。
パネルハンガー１と同一部分については、同一符号を付し説明を省略する。
【００４１】
具体的には、パネルハンガー２０の一対のリンク部材２１ａ，２１ｂの他端側は、パネルハンガー１のリンク部材６ａ，６ｂより斜め上方に向かって延出されており、延出された他端側と、一対の伸縮部延長用リンク部材２２ａ，２２ｂの下端側がそれぞれ回動可能に連結されている。より具体的には、リンク部材２１ａ，２１および伸縮部延長用リンク部材２２ａ，２２ｂを貫通する貫通孔（図示しない）が設けられ、それらの貫通孔に第７回動用軸部材２３ａ，第８回動用軸部材２３ｂがそれぞれ回動可能に挿通され取り付けられることで、一対のリンク部材２１ａ，２１ｂの他端側と伸縮部延長用リンク部材２２ａ，２２ｂの下端側が回動可能に連結されている。
【００４２】
また、一対の伸縮部延長用リンク部材２２ａ，２２ｂ同士が交叉する部位（一対の伸縮部延長用リンク部材２２ａ，２２ｂの上端側同士が交叉する部位）には、伸縮部延長用リンク部材２２ａ，２２ｂを貫通する貫通孔（図示しない）が設けられ、それらの貫通孔に第９回動用軸部材２４が回動可能に挿通され取り付けられることで、一対の伸縮部延長用リンク部材２２ａ，２２ｂの上端側同士が回動可能に連結されている。
【００４３】
そして、上記のような伸縮部延長用リンク部材が一対以上設けられることにより、上下方向への伸長距離が長いパネルハンガーやパネル挟圧部による挟圧力がより大きいパネルハンガーを構成できる。すなわち、本発明のパネルハンガーはパンタグラフ構造を利用するものであるが、パネルハンガー１のように一つの菱形部分を有するものに限定されるものではなく、パネルハンガー２０のように、複数の菱形部分を有するものも本発明の範疇に包含される。
【００４４】
さらに、一対の伸縮部延長用リンク部材２２ａ，２２ｂ同士が交叉する部位には、吊り上げ用係合部１２が設けられている。これにより、吊り上げ用係合部１２にワイヤーＷ１などを係合させてより安定してパネルＰを吊り上げることができるように構成されている。
【符号の説明】
【００４５】
１            パネルハンガー
２ａ，２ｂ    パネル挟圧部
３            交叉部（第１回動用軸部材）
４ａ，４ｂ    パネル挟圧用リンク部材
５ａ          連結部（第４回動用軸部材）
５ｂ          連結部（第５回動用軸部材）
６ａ，６ｂ    リンク部材
７ａ          第２回動用軸部材
７ｂ          第３回動用軸部材
８ａ，８ｂ    接続部
９ａ，９ｂ    弾性材料（ゴム材料）
１０          屈曲部
１１          第６回動用軸部材
１２          吊り上げ用係合部
３０          吊り上げ手段
３１          揚重機
Ｐ            パネル
Ｐ１          パネル
Ｐ２          パネル
Ｂ            バンド
Ｗ１          第１ワイヤー
Ｗ２          第２ワイヤー
Ｔ            天秤（ビーム）
Ｈ            貫通孔
【図１】
2020132337.tif 000003
【図２】
2020132337.tif 000004
【図３】
2020132337.tif 000005
【図４】
2020132337.tif 000006
【図５】
2020132337.tif 000007
【図６】
2020132337.tif 000008
【図７】
2020132337.tif 000009